【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
車両の屋根上に設けられたクロスバーへの固定手段を有するルーフボックスにおいて、上記固定手段は、上記クロスバーの下面との当接部を有するアーム部材と、上記アーム部材とルーフボックス底部間の距離を調節する距離調整手段と、ルーフボックス底部に設けられた上記アーム部材が挿通可能な孔を有し、上記距離調整手段は、上記ルーフボックス内に配置された上記アーム部材の一方側の端部の上下位置調整機構と、上記アーム部材の他方側の端部の上下位置調整機構を有し、ルーフボックスの内側位置での上記アーム部材の一方側の操作によって、上記アーム部材の他方側の端部がルーフボックスの底部に設けられた一方側の位置の孔を上方から下方に向かって挿通した後に上記クロスバーの下方を通って、ルーフボックスの底部に設けられた他方側の位置の孔を下方から上方に向かって挿通する事が可能に構成され、上記一方側の端部の上下位置調整機構はアーム部材の一方側の端部に設けた係止部と、上記係止部と係合するルーフボックスの底部に配置された係止受部を有し、上記係止受部は上記係止部の係止高さ切換手段を有し、上記他方側の端部の上下位置調整機構はアーム部材の他方側の端部に設けたネジ部と上記ネジ部を締付けるナットを有する締結手段からなる事を特徴とするルーフボックスの固定機構。
【請求項２】
車両の屋根上に設けられたクロスバーへの固定手段を有するルーフボックスにおいて、上記固定手段は、上記クロスバーの下面との当接部を有するアーム部材と、上記アーム部材とルーフボックス底部間の距離を調節する距離調整手段と、ルーフボックス底部に設けられた上記アーム部材が挿通可能な孔を有し、上記距離調整手段は、上記ルーフボックス内に配置された上記アーム部材の一方側の端部の上下位置調整機構と、上記アーム部材の他方側の端部の上下位置調整機構を有し、ルーフボックスの内側位置での上記アーム部材の一方側の操作によって、上記アーム部材の他方側の端部がルーフボックスの底部に設けられた一方側の位置の孔を上方から下方に向かって挿通した後に上記クロスバーの下方を通って、ルーフボックスの底部に設けられた他方側の位置の孔を下方から上方に向かって挿通する事が可能に構成され、上記一方側の端部の上下位置調整機構はアーム部材の一方側の端部に設けたネジ部と上記ネジ部を締付けるナットを有する締結手段からなり、上記他方側の端部の上下位置調整機構はアーム部材の他方側の端部に設けた係止部と、上記係止部と係合するルーフボックスの底部に配置された係止受部を有し、上記係止受部は上記係止部の係止高さ切換手段を有する事を特徴とするルーフボックスの固定機構。
【請求項３】
上記係止高さ切換え手段が、ルーフボックスの底部に配置された受部本体と、上記受部本体の上面に形成された高さの異なる複数の係止受部と、上記受部本体の移動手段を有する事を特徴とする請求項１又は２に記載のルーフボックスの固定機構。
【請求項４】
上記係止高さ切換え手段が、ルーフボックスの底部に配置された受部本体と、上記受部本体に対して高さの異なる複数の係止受部を選択的に接続可能な構造よりなる事を特徴とする請求項１又は２に記載のルーフボックスの固定機構。
【請求項５】
上記係止高さ切換え手段が、ルーフボックスの底部に、高さの異なる複数の係止受部を選択的に配置可能な構造よりなる事を特徴とする請求項１又は２に記載のルーフボックスの固定機構。
【請求項６】
上記締結手段が、上記ナットの周囲に手回しによってネジ部を締付け可能なノブ部を形成し、上記ノブ部の下面にはルーフボックスの底部に当接する、上記ノブ部と一体もしくは別体に形成された球状部を有する事を特徴とする請求項１又は２に記載のルーフボックスの固定機構。
【請求項７】
上記締結手段が、上記ナットが手回しによってネジ部を締付け可能なレバー部の回動軸を構成し、上記レバー部のルーフボックスの底部に当接する下端位置から上記回動軸までの距離が、上記レバー部を起こした状態よりも、上記レバー部を倒した状態の方が長くなる様に形成される事を特徴とする請求項１又は２に記載のルーフボックスの固定機構。
【請求項８】
上記、ルーフボックスの底部がルーフボックス底面と、ルーフボックス底面上に配置されたプレートを含み、上記プレートはアーム部材の挿通可能な開口部を有する事を特徴とする請求項１〜７の何れか１項に記載のルーフボックスの固定機構。
【請求項９】
上記、ルーフボックスの底部に設けられた上記アーム部材が挿通可能な孔が、ルーフボックスの底面に設けられた車両の前後方向に伸びる長孔と、ルーフボックスの底面上に配置されたプレートに設けられた開口部からなり、上記プレートはルーフボックス底面に設けられた上記長孔に沿って前後方向に移動可能に構成される事を特徴とする請求項１〜８の何れか１項に記載のルーフボックスの固定機構。
【手続補正２】
【補正対象書類名】明細書
【補正対象項目名】００１２
【補正方法】変更
【補正の内容】
【００１２】
車両の屋根上に設けられたクロスバーへの固定手段を有するルーフボックスにおいて、上記固定手段は、上記クロスバーの下面との当接部を有するアーム部材と、上記アーム部材とルーフボックス底部間の距離を調節する距離調整手段と、ルーフボックス底部に設けられた上記アーム部材が挿通可能な孔を有し、上記距離調整手段は、上記ルーフボックス内に配置された上記アーム部材の一方側の端部の上下位置調整機構と、上記アーム部材の他方側の端部の上下位置調整機構を有し、ルーフボックスの内側位置での上記アーム部材の一方側の操作によって、上記アーム部材の他方側の端部がルーフボックスの底部に設けられた一方側の位置の孔を上方から下方に向かって挿通した後に上記クロスバーの下方を通って、ルーフボックスの底部に設けられた他方側の位置の孔を下方から上方に向かって挿通する事が可能に構成されている事を特徴とする。
【手続補正３】
【補正対象書類名】明細書
【補正対象項目名】００１３
【補正方法】変更
【補正の内容】
【００１３】
上記一方側の端部の上下位置調整機構はアーム部材の一方側の端部に設けた係止部と、上記係止部と係合するルーフボックスの底部に配置された係止受部を有し、上記係止受部は上記係止部の係止高さ切換手段を有し、上記他方側の端部の上下位置調整機構はアーム部材の他方側の端部に設けたネジ部と上記ネジ部を締付けるナットを有する締結手段からなる事を特徴とする。
【手続補正４】
【補正対象書類名】明細書
【補正対象項目名】００１４
【補正方法】変更
【補正の内容】
【００１４】
上記一方側の端部の上下位置調整機構はアーム部材の一方側の端部に設けたネジ部と上記ネジ部を締付けるナットを有する締結手段からなり、上記他方側の端部の上下位置調整機構はアーム部材の他方側の端部に設けた係止部と、上記係止部と係合するルーフボックスの底部に配置された係止受部を有し、上記係止受部は上記係止部の係止高さ切換手段を有する事を特徴とする。
【手続補正５】
【補正対象書類名】明細書
【補正対象項目名】００１５
【補正方法】変更
【補正の内容】
【００１５】
上記係止高さ切換え手段が、ルーフボックスの底部に配置された受部本体と、上記受部本体の上面に形成された高さの異なる複数の係止受部と、上記受部本体の移動手段を有する事を特徴とする。
【手続補正６】
【補正対象書類名】明細書
【補正対象項目名】００４２
【補正方法】変更
【補正の内容】
【００４２】
上記フック部３７の係止高さ切換え手段は、高さの異なる複数の係止受部５６ａ、５６ｂ、５６ｃを階段状に形成した受部本体５７をルーフボックスの底面上に配置したプレート１５に対して左右方向（車幅方向）に水平移動可能に構成する事によって、上記アーム部材３５のフック部３７と係合する係止受部５６の高さを簡単に切替る事が出来る。
【手続補正７】
【補正対象書類名】明細書
【補正対象項目名】００５５
【補正方法】変更
【補正の内容】
【００５５】
１  ルーフボックス
２  クロスバー
３  アーム部材
３ａ  一方側
３ｂ  他方側
３ｃ  当接部
４ａ、４ｂ  上下位置調整機構
５、５ａ、５ｂ    係止受部
６  ナット
７ａ、７ｂ  上下位置調整機構
８ａ、８ｂ  上下位置調整機構
９  ノブ部
１１  ルーフボックス底面
１２  長孔
１４  プレート
１４ａ、１４ｂ  開口部
１４ｃ  凹部
１５  プレート
１５ａ、１５ｂ  開口部
１６  プレート
１６ａ、１６ｂ  開口部
３１  フック部
３２  ネジ部
３３  境界位置
３５  アーム部材
３５ａ  一方側
３５ｂ  他方側
３６  ネジ部
３７  フック部
３８  逃げ部
３９  アーム部材
３９ａ  一方側
３９ｂ  他方側
４０  ネジ部
４１  ナット
５１  受部本体
５２  垂直軸
５３  開口部
５４  支持部
５５  係合爪部
５６、５６ａ、５６ｂ、５６ｃ  係止受部
５７  受部本体
６１  ノブ部
６２  球状部
６３  スペーサ
６５  レバー部
６６  下端位置
６７  回動軸
６８  二股部
６９  突起部
７０  ノブ部
７０ａ  一方のノブ部
７０ｂ  他方のノブ部
７１  摩擦部材
７２  張出部